(57)【要約】【課題】シャッターの開閉状態とプロジェクターの動作状態を容易に確認できるプロジェクターを提供する。【解決手段】シャッター４が開放位置、閉鎖位置のいずれにあるかを検出するシャッター位置検出手段８を備え、シャッター４が位置、およびプロジェクター１の動作状態に基づき、報知手段２５の報知ＬＥＤ２５ａ，２５ｂにより報知する。【選択図】図３
2014126760.tif 000002
【特許請求の範囲】
【請求項１】
画像信号が入力される画像入力端子と、光源から射出された光を前記画像信号に基づく画像に応じて変調し、投写レンズより被投写面に投写する画像投写手段と、これらを収容する筐体と、を有するプロジェクターであって、
前記筐体に備えられ、前記投写レンズを閉塞するシャッターと、
前記シャッターが開放位置、閉鎖位置のいずれの位置にあるかを検出するシャッター位置検出手段と、
当該プロジェクターの動作状態を報知する報知手段と、
当該プロジェクターの動作を制御する制御手段と、を備え、
前記制御手段は、前記シャッター位置検出手段の検出結果、および当該プロジェクターの動作状態に基づき、前記報知手段を介して報知することを特徴とするプロジェクター。
【請求項２】
請求項１に記載のプロジェクターにおいて、
前記画像入力端子に画像信号が入力されているか否かを検出する信号検出手段をさらに備え、
前記制御手段は、前記シャッター位置検出手段の検出結果、および前記信号検出手段の検出状態に基づき、前記報知手段を介して報知することを特徴とするプロジェクター。
【請求項３】
請求項１または２に記載のプロジェクターにおいて、
当該プロジェクターに異常が発生したことを検知する異常検知手段をさらに備え、
前記制御手段は、前記シャッター位置検出手段の検出結果、および前記異常検知手段の異常検知状態に基づき、前記報知手段を介して報知することを特徴とするプロジェクター。
【請求項４】
請求項１から３のいずれか一項に記載のプロジェクターにおいて、
前記光源の輝度を設定する輝度設定手段をさらに備え、
前記制御手段は、前記シャッター位置検出手段の検出結果、および前記輝度設定手段の輝度設定に基づき、前記報知手段を介して報知することを特徴とするプロジェクター。
【請求項５】
請求項１から４のいずれか一項に記載のプロジェクターにおいて、
前記報知手段は、前記筐体の前記シャッター近傍に備えられたことを特徴とするプロジェクター。
【請求項６】
画像信号が入力される画像入力端子と、光源から射出された光を前記信号に基づく画像に応じて変調し、投写レンズより被投写面に投写する画像投写手段と、プロジェクターの動作状態を報知する報知手段と、当該プロジェクターの動作を制御する制御手段と、これらを収容する筐体と、前記筐体に備えられ、前記投写レンズを閉塞するシャッターと、を有するプロジェクターの制御方法であって、
前記シャッターが開放位置、閉鎖位置のいずれの位置にあるかを検出するシャッター位置検出ステップと、
前記制御手段が、前記シャッター位置検出ステップの検出結果、および当該プロジェクターの動作状態に基づき、前記報知手段を介して報知する報知ステップと、
を有することを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、画像を投写するプロジェクターにおいて、投写レンズに汚れや傷が付くことを防ぐため、筐体にスライド式のシャッターを備えたプロジェクターが知られている。また、このようなプロジェクターのシャッターは、画像の投写を一時的に中断する画像ミュート機能にも使われている。シャッターを用いた画像ミュート機能では、シャッターを閉鎖したときに光源からの光によるシャッターの発熱を抑えるため、光源の輝度を下げ、黒画像を投写する方法が使われている（特許文献１参照）。
【先行技術文献】
【特許文献】
【０００３】
【特許文献１】特開２００７−２４０５５１号公報
【発明の概要】
【発明が解決しようとする課題】
【０００４】
しかし、特許文献１のプロジェクターでは、電源をオフする際にシャッターを閉鎖することは必ずしも必要でない。そのため、電源オフの際、シャッターを閉鎖することを忘れて、開放したままの状態で持ち運ぶことがあり、投写レンズに汚れや傷が付く虞があった。
また、プロジェクターは、通常、電源をオンしても光源が明るくなるまでに時間がかかる。このため、特許文献１のようなプロジェクターでは、シャッターを閉鎖したまま電源オン操作を行っても、ユーザーは、シャッターを閉鎖したままだということに気付かない虞があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、画像信号が入力される画像入力端子と、光源から射出された光を前記画像信号に基づく画像に応じて変調し、投写レンズより被投写面に投写する画像投写手段と、これらを収容する筐体と、を有するプロジェクターであって、前記筐体に備えられ、前記投写レンズを閉塞するシャッターと、前記シャッターが開放位置、閉鎖位置のいずれの位置にあるかを検出するシャッター位置検出手段と、当該プロジェクターの動作状態を報知する報知手段と、当該プロジェクターの動作を制御する制御手段と、を備え、前記制御手段は、前記シャッター位置検出手段の検出結果および当該プロジェクターの動作状態に基づき、前記報知手段を介して報知することを特徴とする。
【０００７】
本適用例によれば、制御手段は、シャッター位置検出手段の検出結果およびプロジェクターの動作状態に基づき、報知手段を介して報知することにより、プロジェクターの動作状態と、シャッターの開閉状態とを対応させて、報知手段によりユーザーに報知することができる。従って、シャッターの開閉状態とプロジェクターの動作状態とを容易に確認できるプロジェクターを提供することができる。これにより、例えば、プロジェクターの電源オン時に、ユーザーに対して、シャッターの開放を忘れることを防止させることができる。また、プロジェクターの電源オフ時に、ユーザーに対して、シャッターの閉鎖を忘れることを防止させることができる。また、シャッターを閉鎖した画像ミュート状態でも、プロジェクターの電源が入っていることをユーザーに報知し、電源の切り忘れに注意するよう、促すことが可能となる。
【０００８】
［適用例２］上記適用例に記載のプロジェクターにおいて、前記画像入力端子に画像信号が入力されているか否かを検出する信号検出手段をさらに備え、前記制御手段は、前記シャッター位置検出手段の検出結果、および前記信号検出手段の検出状態に基づき、前記報知手段を介して報知することを特徴とする。
【０００９】
本適用例によれば、例えば、シャッターを閉鎖した画像ミュート状態において画像信号が入力されているか否かを報知手段により、ユーザーに報知することができる。これにより、プレゼンテーションの切り替え、準備などにおいて、シャッターを閉鎖した画像ミュート状態にしているときに、シャッターを開放することなく、画像信号が入力されたか否かをユーザーに知らせることが可能となる。
【００１０】
［適用例３］上記適用例に記載のプロジェクターにおいて、当該プロジェクターに異常が発生したことを検知する異常検知手段をさらに備え、前記制御手段は、前記シャッター位置検出手段の検出結果、および前記異常検知手段の異常検知状態に基づき、前記報知手段を介して報知することを特徴とする。
【００１１】
本適用例によれば、例えば、シャッターを閉鎖した画像ミュート状態において、プロジェクターに異常が発生したことを報知手段により、ユーザーに報知することができる。これにより、プレゼンテーションの切り替え、準備などにおいて、シャッターを閉鎖した画像ミュート状態にしているときに、シャッターを開放することなく、異常が発生したことをユーザーに知らせ、対処を促すことが可能となる。
【００１２】
［適用例４］上記適用例に記載のプロジェクターにおいて、前記光源の輝度を設定する輝度設定手段をさらに備え、前記制御手段は、前記シャッター位置検出手段の検出結果、および前記輝度設定手段の輝度設定に基づき、前記報知手段を介して報知することを特徴とする。
【００１３】
本適用例によれば、シャッターの開閉状態と光源の輝度設定に応じて報知されるので、例えば、シャッターを閉鎖した画像ミュート状態からシャッターを開放することによって投写画面が急に明るくなる場合でも、現在の輝度設定を報知手段によって、ユーザーに確認させることが可能となる。
【００１４】
［適用例５］上記適用例に記載のプロジェクターにおいて、前記報知手段は前記筐体の前記シャッター近傍に備えられたことを特徴とする。
【００１５】
本適用例によれば、報知手段がシャッター近傍に備えられていることにより、シャッターの開閉操作を行う際に、現在のプロジェクターの動作状態をユーザーが認識しやすく、適切な操作を行うよう促すことが可能となる。
【００１６】
［適用例６］本適用例に係るプロジェクターの制御方法は、画像信号が入力される画像入力端子と、光源から射出された光を前記信号に基づく画像に応じて変調し、投写レンズより被投写面に投写する画像投写手段と、プロジェクターの動作状態を報知する報知手段と、当該プロジェクターの動作を制御する制御手段と、これらを収容する筐体と、前記筐体に備えられ、前記投写レンズを閉塞するシャッターと、を有するプロジェクターの制御方法であって、前記シャッターが開放位置、閉鎖位置のいずれの位置にあるかを検出するシャッター位置検出ステップと、前記制御手段が、前記シャッター位置検出ステップの検出結果および当該プロジェクターの動作状態に基づき、前記報知手段を介して報知する報知ステップと、を有することを特徴とする。
【００１７】
本適用例によれば、シャッター位置検出ステップと、報知ステップとを有することにより、プロジェクターの動作状態と、シャッターの開閉状態とを対応させて、報知手段によりユーザーに報知することができる。従って、シャッターの開閉状態とプロジェクターの動作状態とを容易に確認できるプロジェクターの制御方法を提供することができる。これにより、例えば、プロジェクターの電源オン時に、ユーザーに対して、シャッターの開放を忘れることを防止させるための制御方法を提供することができる。また、プロジェクターの電源オフ時に、ユーザーに対して、シャッターの閉鎖を忘れることを防止させるための制御方法を提供することができる。また、シャッターを閉鎖した画像ミュート状態でも、プロジェクターの電源が入っていることをユーザーに報知し、電源の切り忘れに注意するよう、促すことを可能とする制御方法を提供することができる。
【図面の簡単な説明】
【００１８】
【図１】実施形態に係るプロジェクターの斜視図であり、（ａ）はシャッターが開放位置、（ｂ）はシャッターが閉鎖位置にあるときの状態を示す。
【図２】プロジェクターの部分平面図であり、スリット周辺を部分的に示す図。
【図３】シャッターの開閉とプロジェクターの動作状態に応じた報知手段の報知の遷移を示す図。
【図４】プロジェクターの回路構成を示すブロック図。
【図５】プロジェクターの動作を示すフローチャート。
【発明を実施するための形態】
【００１９】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２０】
（実施形態）
図１は実施形態に係るプロジェクター１を前方から見た斜視図であり、図１（ａ）はシャッター４が開放位置にあるとき、図１（ｂ）はシャッター４が閉鎖位置にあるときの状態を示す。
【００２１】
図１に示すように、プロジェクター１は、上面２ｔ、前面２ｆなどを有する筐体２によって装置本体が覆われた構成となっている。なお、本実施形態においては、プロジェクター１に対して、投写方向である前面２ｆ方向を前方として説明する。
【００２２】
筐体２の上面２ｔには、ユーザーにより入力操作が行われる複数の操作キーを備えた入力操作手段２３と、複数のＬＥＤ（Light emitting diode）などから構成される報知手段２５が備えられている。
筐体２の前面２ｆには、開口部３が形成されており、開口部３の内側には、前方に向かって画像光を投写する投写レンズ１３が備えられている。開口部３には、カバー部材としてのシャッター４が開閉可能に備えられており、開口部３をシャッター４で閉塞することによって、投写レンズ１３を保護するとともに投写光を遮光することが可能となっている。
【００２３】
シャッター４は、合成樹脂製で略矩形の板状体であり、その１つの角部には、開閉操作を行うための操作ツマミ４ａが一体的に形成されている。操作ツマミ４ａは、筐体２の上面２ｔに形成されたスリット５から露出しており、そのスリット５に沿って操作ツマミ４ａを左右にスライド操作することによって、シャッター４の開閉を行うことができる。また、操作ツマミ４ａは、筐体２の上面２ｔよりも上方に突出するようになっており、スライド操作を容易にしている。
【００２４】
図１（ａ）に示すように、シャッター４が開放位置にあるとき、シャッター４は、開口部３を開放し、投写レンズ１３が露出する。図１（ｂ）に示すように、シャッター４が閉鎖位置にあるとき、シャッター４は、開口部３を閉塞する。
【００２５】
また、筐体２の内側、シャッター４と隣接する部分にはシャッター４の位置を検出する、図示しないフォトセンサーなどで構成されるシャッター位置検出手段８が配置されており、シャッター４が、開放位置、または閉鎖位置のいずれにあるかを判断することができるようになっている。
【００２６】
図２は、プロジェクター１の部分平面図であり、筐体２の上面２ｔに設けられたスリット５の周辺部を部分的に示している。
【００２７】
図２に示すように、スリット５は、筐体２の前面２ｆと並行するように形成されており、シャッター４は、不図示のスライド機構によって前面２ｆに沿った横方向に操作ツマミ４ａが摺動可能になっている。つまり、操作ツマミ４ａがスリット５の左端部（前方に向かって左側の端部）５ａに接する位置と、操作ツマミ４ａがスリット５の右端部（前方に向かって右側の端部）５ｂに接する位置との間を移動可能になっている。
スリット５の左端部５ａ、およびスリット５の右端部５ｂの近傍にはそれぞれ報知手段２５の報知ＬＥＤ２５ａ，２５ｂが備えられている。
【００２８】
これ以降、操作ツマミ４ａをスリット５の左端部５ａに移動させたときのシャッター４の位置を「閉鎖位置」と呼び、操作ツマミ４ａをスリット５の右端部５ｂに移動させたときのシャッター４の位置を「開放位置」と呼び、以降、適宜使用する。
【００２９】
図３は、シャッター４の開閉状態とプロジェクター１の動作状態とに応じた報知手段２５（報知ＬＥＤ２５ａ，２５ｂ）の報知の遷移を示す図である。図３を用いて報知手段２５の報知の遷移を説明する。
【００３０】
図３（ａ）は、シャッター４が閉鎖位置にあり、プロジェクター１の電源をオフした状態（スタンバイ状態）を示す。図３（ａ）に示すように、スタンバイ状態では、報知ＬＥＤ２５ａ，２５ｂは消灯しており報知していない。
なお、図３（ａ）に示す状態からプロジェクター１の電源をオンすると、図３（ｃ）に示す状態に遷移する。
【００３１】
図３（ｃ）は、シャッター４が閉鎖位置にあり、プロジェクター１の電源をオンした状態を示す。図３（ｃ）に示すように、この状態では、報知ＬＥＤ２５ｂは点灯し、報知ＬＥＤ２５ａは点滅することにより、プロジェクター１の電源はオンしておりシャッター４が閉鎖していることを報知する。このとき、画像信号が検出されていない状態（未検出状態）では図３（ｅ）に示す状態に遷移する。なお、図３（ｃ）では、画像信号が検出された状態も示している。
【００３２】
図３（ｅ）は、シャッター４が閉鎖位置にあり、プロジェクター１の電源をオンし、さらに画像信号が未検出の状態を示す。図３（ｅ）に示すように、この状態では、報知ＬＥＤ２５ａは、画像信号が検出された状態（図３（ｃ）に示す状態）とは異なる色で点滅して報知する。なお、報知ＬＥＤ２５ｂは、図３（ｃ）に示す状態と同様の色で点灯して報知する。
なお、図３（ｃ）、および図３（ｅ）に示す状態からシャッター４が開放位置に移動すると、図３（ｄ）に示す状態に遷移する。
【００３３】
図３（ｄ）は、シャッター４が開放位置にあり、プロジェクター１の電源をオンした状態を示す。図３（ｄ）に示すように、この状態では、報知ＬＥＤ２５ａが消灯し、報知ＬＥＤ２５ｂが点灯することにより、シャッター４が開放された画像投写状態であることを報知する。
なお、図３（ｄ）に示す状態からシャッター４を閉鎖位置に移動すると、図３（ｃ）に示す状態に遷移する。また、図３（ｄ）に示す状態から電源オフ操作を受け付けると、図３（ｂ）に示す状態に遷移する。
【００３４】
図３（ｂ）は、シャッター４が開放位置にあり、プロジェクター１の電源オフ操作を受け付けた状態を示す。図３（ｂ）に示すように、この状態では、報知ＬＥＤ２５ｂが点滅することにより、シャッター４が開放されたままであることを報知し、シャッター４を閉鎖するよう、ユーザーに促す。なお、報知ＬＥＤ２５ａは消灯している。
なお、図３（ｂ）に示す状態からシャッター４を閉鎖位置に移動すると、プロジェクター１の電源がオフされ、図３（ａ）に示すスタンバイ状態に遷移する。
【００３５】
上記図３（ｃ）〜（ｅ）に示す状態において、光源１１の輝度設定を変更した場合は、報知ＬＥＤ２５ｂの点灯色を変える。また、プロジェクター１に異常が発生した場合も、報知ＬＥＤ２５ｂの点灯色または点灯パターンを変える（図示せず）。
【００３６】
図４は、プロジェクター１の回路構成を示すブロック図である。
図４に示すように、プロジェクター１は、画像入力端子６、シャッター位置検出手段８、画像投写手段１０、信号検出手段１５、ＯＳＤ処理手段１６、画像信号処理手段１７、画像信号入力手段１８、制御手段２０、記憶手段２１、光源制御手段２２、入力操作手段２３、報知手段２５、異常検知手段２６、電源端子３０、電源部３１等で構成されており、これらは筐体２（図１）の内部、または外面に収容されている。
【００３７】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００３８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００４０】
本実施形態では、光源として光源ランプ１１ａを用いて投写するプロジェクター１を例示したが、本発明は、光源としてＬＥＤ光源やレーザー光源などを用いて投写するプロジェクターにも適用することができる。
【００４１】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００４２】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は光源１１の輝度を設定する輝度設定手段２０１を備える。
【００４３】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。記憶手段２１はプロジェクター１に発生した異常を示す異常情報２１１を保存する。
【００４４】
入力操作手段２３は、ユーザーがプロジェクター１に対して各種指示を行うための複数の操作キーを備えている。入力操作手段２３は、図１に示すように、筐体２外面（上面２ｔ）に設置される。
入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、決定キー、エスケープキー等がある。
【００４５】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００４６】
画像信号入力手段１８は、複数の画像入力端子６より、ビデオ再生装置やパーソナルコンピューター等、外部の画像出力装置から、図示しないケーブルを介して画像情報が入力される。入力された画像情報は、制御手段２０の指示に基づき、画像信号処理手段１７、および信号検出手段１５に出力される。なお、画像信号入力手段１８は、無線通信や光通信などの受信部を備え、外部機器から無線によって画像信号を入力する構成にしてもよい。
【００４７】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００４８】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４９】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００５０】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００５１】
信号検出手段１５は、画像信号入力手段１８に画像入力端子６から有効な画像信号が入力されているか否かの検出結果を制御手段２０に通知する。なお、信号検出手段１５が画像信号入力手段１８に画像信号が入力されていることを検出している状態を画像信号検出状態、検出していない状態を画像信号未検出状態と呼び、以降、適宜使用する。
【００５２】
光源制御手段２２は、制御手段２０の指示に基づいて、光源１１に対する電力の供給と停止とを制御し、光源１１の点灯、および消灯を切り替える。
【００５３】
シャッター位置検出手段８は、フォトセンサーや磁気センサー、メカスイッチなどで構成され、シャッター４を操作ツマミ４ａでスライド移動したときの位置が、開放位置または閉鎖位置のいずれの位置にあるかを検出し、その検出結果を制御手段２０に出力する。
【００５４】
報知手段２５は、報知ＬＥＤ２５ａ，２５ｂから構成され、制御手段２０の指示により、プロジェクター１の動作状態と、シャッター４の開閉状態とを対応させて報知する。
図２で示したように、報知ＬＥＤ２５ａはスリット５の閉鎖位置（左端部）５ａ近傍に配置され、主にシャッター４が閉鎖されている状態を報知する。報知ＬＥＤ２５ｂはスリット５の開放位置（右端部）５ｂ近傍に配置され、主にシャッター４が開放されている画像投写状態であることを報知する。また、報知ＬＥＤ２５ｂは光源１１の輝度設定状態、および異常検知手段２６が検知した異常発生情報に基づき、異なる色、パターンで報知する。
【００５５】
異常検知手段２６は、プロジェクター１に異常が発生したことを検知し、制御手段２０に通知する。検知した異常は異常情報２１１に保存され、報知手段２５により報知される。なお、検知する異常の例として、プロジェクター１の内部温度が所定値以上に上昇した場合の温度異常、光源１１が画像投写中に消灯した場合の光源異常などが挙げられる。
【００５６】
電源部３１には、電源端子３０を介してＡＣ１００Ｖ等の電力が外部から供給される。電源部３１は、入力した電力（交流電力）を所定の直流電力に変換して、プロジェクター１の各部に変換した電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００５７】
図５は、プロジェクター１の動作を示すフローチャートである。図５を用いてフローチャートを説明する。
図５に示すように、プロジェクター１がスタンバイ状態において入力操作手段２３の電源キー操作などにより電源オン（ステップＳ１０１）すると、ステップＳ１０２に遷移する。スタンバイ状態が図３（ａ）に示す状態に相当する。
【００５８】
ステップＳ１０２において制御手段２０は、光源制御手段２２により光源１１を点灯させ、ステップＳ１０３に遷移する。
【００５９】
ステップＳ１０３において制御手段２０は、シャッター位置検出手段８の検出結果に基づき、シャッター４が開放位置にあるか否かを調べる。シャッター４が開放位置にある場合（ステップＳ１０３：Ｙ）には、ステップＳ１０４に遷移する。シャッター４が開放位置にない、即ち閉鎖位置にある場合（ステップＳ１０３：Ｎ）には、ステップＳ１１０へ遷移する。ステップＳ１０３、および後述するステップＳ１２０が、シャッター位置検出ステップに相当する。
【００６０】
ステップＳ１０４において制御手段２０は、画像信号入力手段１８から入力される画像信号に基づく画像を画像投写手段１０により投写させ、ステップＳ１０５に遷移する。
【００６１】
ステップＳ１０５において制御手段２０は、報知手段２５により画像の投写状態であることを報知する。具体的には、報知ＬＥＤ２５ｂを輝度設定手段２０１の設定状態、および異常情報２１１に保存された異常の発生状態に基づく色で点灯させる。この状態が図３（ｄ）に示す状態に相当する。次にステップＳ１０６に遷移する。ステップＳ１０５、および後述するステップＳ１１２、ステップＳ１１３、ステップＳ１２２が報知ステップに相当する。
【００６２】
ステップＳ１０６において制御手段２０は、異常検知手段２６により異常が検知されたか否かを調べる。異常が検知された場合（ステップＳ１０６：Ｙ）には、発生した異常を異常情報２１１に保存（ステップＳ１１４）し、ステップＳ１０３に遷移する。異常が検知されていない場合（ステップＳ１０６：Ｎ）には、ステップＳ１０７に遷移する。
【００６３】
ステップＳ１０７において制御手段２０は、入力操作手段２３のメニュー操作などにより光源１１の輝度変更操作を受け付けたか否かを調べる。輝度変更操作を受け付けた場合（ステップＳ１０７：Ｙ）には、輝度設定手段２０１によって受け付けた輝度設定に基づき、光源１１の輝度を変更（ステップＳ１１５）し、ステップＳ１０３に遷移する。輝度設定操作を受け付けていない場合（ステップＳ１０７：Ｎ）には、ステップＳ１０８に遷移する。
【００６４】
ステップＳ１０８において制御手段２０は、入力操作手段２３の電源キー操作などにより電源オフ操作を受け付けたか否かを調べる。電源オフ操作を受け付けた場合（ステップＳ１０８：Ｙ）には、ステップＳ１２０に遷移する。電源オフ操作を受け付けていない場合（ステップＳ１０８：Ｎ）には、ステップＳ１０３に遷移する。
【００６５】
ステップＳ１１０において制御手段２０は、画像投写手段１０に黒画像を投写させるなど画像ミュート状態とし、ステップＳ１１１に遷移する。
【００６６】
ステップＳ１１１において制御手段２０は、信号検出手段１５により、画像信号が検出されているか否かを調べる。画像信号が検出されている場合（ステップＳ１１１：Ｙ）には、ステップＳ１１２に遷移する。画像信号が検出されていない場合（ステップＳ１１１：Ｎ）には、ステップＳ１１３に遷移する。
【００６７】
ステップＳ１１２において制御手段２０は、報知手段２５により、シャッター４が閉鎖され画像信号検出状態であることを報知する。具体的には報知ＬＥＤ２５ａを、画像信号が検出されていることを示す色で点滅させ、報知ＬＥＤ２５ｂを、輝度設定手段２０１の設定状態、および異常情報２１１に保存された異常の発生状態に基づく色で点灯させる。この状態が図３（ｃ）に示す状態に相当する。次にステップＳ１０３に遷移する。
【００６８】
ステップＳ１１３において制御手段２０は、報知手段２５により、シャッター４が閉鎖され画像信号未検出状態であることを報知する。具体的には報知ＬＥＤ２５ａを、画像信号が検出されていないことを示す色で点滅させ、報知ＬＥＤ２５ｂを、輝度設定手段２０１の設定状態、および異常情報２１１に保存された異常の発生状態に基づく色で点灯させる。この状態が図３（ｅ）に示す状態に相当する。次にステップＳ１０３に遷移する。
【００６９】
ステップＳ１２０において制御手段２０は、シャッター位置検出手段８の検出結果に基づき、シャッター４が閉鎖位置にあるか否かを調べる。シャッター４が閉鎖位置にある場合（ステップＳ１２０：Ｙ）には、ステップＳ１２１に遷移する。シャッター４が閉鎖位置にない、即ち開放位置にある場合（ステップＳ１２０：Ｎ）には、ステップＳ１２２へ遷移する。
【００７０】
ステップＳ１２１において制御手段２０は、光源制御手段２２により光源１１を消灯させ、ステップＳ１２３に遷移する。
【００７１】
ステップＳ１２２において制御手段２０は、報知手段２５により、電源オフ操作を検出し、シャッター４が開放されている状態であることを報知する。具体的には報知ＬＥＤ２５ｂを点滅させる。この状態が図３（ｂ）に示す状態に相当する。次にステップＳ１２０に遷移する。
【００７２】
ステップＳ１２３では、プロジェクター１の電源をオフしてスタンバイ状態とし、本動作フローを終了する。
【００７３】
上述した実施形態によれば、以下の効果が得られる。
本実施形態のプロジェクター１によれば、プロジェクター１の電源オン／オフ時などのプロジェクター１の動作状態と、シャッター４の開閉状態とを対応させて、報知手段２５によりユーザーに報知することができる。従って、シャッター４の開閉状態とプロジェクター１の動作状態とを容易に確認できるプロジェクター１を提供することができる。
【００７４】
本実施形態のプロジェクター１によれば、プロジェクター１の電源オン時に、ユーザーに対して、シャッター４の開放を忘れることを防止させることができる。また、プロジェクター１の電源オフ時に、ユーザーに対して、シャッター４の閉鎖を忘れることを防止させることができる。また、シャッター４を閉鎖した画像ミュート状態でも、プロジェクター１の電源が入っていることをユーザーに報知し、電源の切り忘れに注意するよう、促すことが可能となる。
【００７５】
本実施形態のプロジェクター１によれば、シャッター４を閉鎖した画像ミュート状態において、画像信号が入力されているか否かを報知手段２５によりユーザーに報知することができる。これにより、プレゼンテーションの切り替え、準備などにおいて、シャッター４を閉鎖した画像ミュート状態にしているときに、シャッター４を開放することなく、画像信号が入力されたか否かをユーザーに知らせることが可能となる。
【００７６】
本実施形態のプロジェクター１によれば、シャッター４を閉鎖した画像ミュート状態において、プロジェクター１に異常が発生したことを報知手段２５により、ユーザーに報知することができる。これにより、プレゼンテーションの切り替え、準備などにおいて、シャッター４を閉鎖した画像ミュート状態にしているときに、シャッター４を開放することなく、異常が発生したことをユーザーに知らせ、対処を促すことが可能となる。
【００７７】
本実施形態のプロジェクター１によれば、シャッター４の開閉状態と光源１１の輝度設定状態とを対応させて、報知手段２５によりユーザーに報知することができる。従って、シャッター４を閉鎖した画像ミュート状態から、シャッター４を開放することによって、投写画面が急に明るくなる場合でも、現在の輝度設定状態を報知手段２５によって、ユーザーに確認させることが可能となる。
【００７８】
本実施形態のプロジェクター１によれば、報知手段２５の報知ＬＥＤ２５ａ，２５ｂがスリット５の近傍に備えられている。これにより、シャッター４の開閉操作を行う際に、現在のプロジェクター１の動作状態をユーザーが認識しやすく、適切な操作を行うよう促すことが可能となる。
【００７９】
本実施形態のプロジェクター１の制御方法によれば、シャッター位置検出ステップ（ステップＳ１０３、ステップＳ１２０）と、報知ステップ（ステップＳ１０５、ステップＳ１１２、ステップＳ１１３、ステップＳ１２２）とを有することにより、プロジェクター１の動作状態と、シャッター４の開閉状態とを対応させて、報知手段２５によりユーザーに報知することができる。従って、シャッター４の開閉状態とプロジェクター１の動作状態とを容易に確認できるプロジェクター１の制御方法を提供することができる。また、プロジェクター１の電源オン時に、ユーザーに対して、シャッター４の開放を忘れることを防止させるための制御方法を提供することができる。また、プロジェクター１の電源オフ時に、ユーザーに対して、シャッター４の閉鎖を忘れることを防止させるための制御方法を提供することができる。また、シャッター４を閉鎖した画像ミュート状態でも、プロジェクター１の電源が入っていることをユーザーに報知し、電源の切り忘れに注意するよう、促すことを可能とする制御方法を提供することができる。
【００８０】
なお、上記実施形態は、以下のように変更してもよい。
（変形例１）
上述した実施形態では、報知手段２５は２つの報知ＬＥＤ２５ａ，２５ｂによって構成され、プロジェクター１の筐体２に配置されているが、シャッター４の操作ツマミ４ａに１つの報知ＬＥＤが備えられていてもよい。具体的には、ユーザーにシャッターの開放または閉鎖を促すときは報知ＬＥＤを点滅させ、プロジェクター１の動作状態（信号検出状態、異常発生状態）によりＬＥＤの点灯色を変える。これにより、ユーザーがシャッター４の開閉操作を行う場合に操作ツマミ４ａの位置をすぐに知ることができる。
【符号の説明】
【００８１】
１…プロジェクター、２…筐体、３…開口部、４…シャッター、４ａ…操作ツマミ、５…スリット、５ａ…左端部、５ｂ…右端部、６…画像入力端子、８…シャッター位置検出手段、１０…画像投写手段、１１…光源、１２Ｒ，１２Ｇ，１２Ｂ…液晶ライトバルブ、１３…投写レンズ、１４…液晶駆動手段、１５…信号検出手段、１６…ＯＳＤ処理手段、１７…画像信号処理手段、１８…画像信号入力手段、２０…制御手段、２０１…輝度設定手段、２１…記憶手段、２１１…異常情報、２２…光源制御手段、２３…入力操作手段、２５…報知手段、２５ａ，２５ｂ…報知ＬＥＤ、２６…異常検知手段、３０…電源端子、３１…電源部。
【図１】
2014126760.tif 000003
【図２】
2014126760.tif 000004
【図３】
2014126760.tif 000005
【図４】
2014126760.tif 000006
【図５】
2014126760.tif 000007